(57)【要約】【課題】圧縮機への取り付け作業性が容易で、且つ安価な圧縮機のモーター保護装置を提供することを目的とするものである。【解決手段】モーター保護装置１０７の本体部１０９の圧縮機との接触面１１１近傍に永久磁石１１３を配設したものであり、磁力によってワンタッチでモーター保護装置１０７を圧縮機に吸着固定することができるため、圧縮機への取り付け作業性が容易になり、且つ永久磁石１１３以外には特別な部品を使用する必要がないため安価となるものである。【選択図】図２
2006161708.tif 000002
【特許請求の範囲】
【請求項１】
圧縮機との接触面近傍に永久磁石を配設した圧縮機のモーター保護装置。
【請求項２】
圧縮機の温度を感知して動作する熱感応型である請求項１に記載の圧縮機のモーター保護装置。
【請求項３】
環状の永久磁石を保護装置本体部外周に嵌装させた請求項１又は請求項２に記載の圧縮機のモーター保護装置。
【請求項４】
永久磁石は可撓性を有したボンド磁石である請求項３に記載の圧縮機のモーター保護装置。
【請求項５】
永久磁石を保護装置本体部の外側に設けた収納部に嵌入した請求項１又は請求項２に記載の圧縮機のモーター保護装置。
【発明の詳細な説明】
【技術分野】
【０００１】
本発明は圧縮機のモ−ター保護装置の取り付け方法の改良に関するものである。
【背景技術】
【０００２】
従来、圧縮機のモ−ター保護装置の取り付け方法は密閉容器内外を電気的に連絡させるハーメチックターミナルにモ−ター保護装置をブラケットにスプリングクリップで装着したものが一般的である（例えば、特許文献１参照）。
【０００３】
以下、図面を参照しながら上記従来の圧縮機のモーター保護装置を説明する。
【０００４】
図５は従来の密閉型電動圧縮機の側面図、図６は図５のＨ−Ｈ矢視図、図７は従来のモーター保護装置の拡大図、図８は従来のスプリングクリップの側面図、図９は従来のスプリングクリップの拡大側面図である。
【０００５】
図５から図９において、圧縮機本体を形成する密閉容器１には、電動要素（図示せず）と、この電動要素より駆動される圧縮要素（図示せず）とが、複数のスプリング（図示せず）によって弾性的に保持されている。
【０００６】
密閉容器１は、密閉容器１内外を電気的に連絡するハーメチックターミナル２と電装品カバー（図示せず）を固定する密閉容器１の外側に溶接固定したブラケット３を備えている。ブラケット３には断面がクランク状の取り付け部３ａが折曲形成されている。
【０００７】
略円筒形のモーター保護装置４は本体部５とフランジ部６で形成されており本体の内部には密閉容器１の温度や電流を感知して動作するよう、ヒーター（図示せず）とバイメタル（図示せず）を内蔵している。
【０００８】
モーター保護装置４を固着させるスプリングクリップ７はモ−ター保護装置４の本体部５の外径とほぼ同じ内径寸法の円弧を有する内側部８と、両サイドに延出形成されたアーム部９と、アーム部９の先端に上下左右に膨出するように形成された固着部１０から構成され、バネ性のあるピアノ線から形成されている。
【０００９】
以上のような構成において、本体部５をスプリングクリップ７の内側部８に挿入し、ブラケット３に備えた取り付け部３ａにスプリングクリップ７の固着部１０を挿入することで、モ−ター保護装置４は弾性的に密閉容器１に固定されている。
【特許文献１】実開昭５７−５２０４３号公報
【発明の開示】
【発明が解決しようとする課題】
【００１０】
しかしながら上記従来の構成では、スプリングクリップ７をブラケット３の取り付け部３ａへ挿入する必要があり、取り付け部３ａの隙間が非常に狭小なため挿入作業が煩雑になり圧縮機への取り付け作業性が悪い、又スプリングクリップ７の形状が複雑なため生産コストが高いという課題を有していた。
【００１１】
本発明は、上記従来の課題を解決するもので、圧縮機への取り付け作業性が容易で、且つ安価な圧縮機のモーター保護装置を提供することを目的とする。
【課題を解決するための手段】
【００１２】
上記従来の課題を解決するために、本発明の圧縮機のモ−ター保護装置は、圧縮機との接触面近傍に永久磁石を配設したもので、磁力によって圧縮機に吸着固定することでスプリングクリップ部品が不要となるので、安価にすることができ、またスプリングクリップをブラケットへ挿入する煩雑な作業をすることなくワンタッチで圧縮機にモーター保護装置を吸着固定できるので、取り付け作業性が容易になる。
【発明の効果】
【００１３】
本発明による圧縮機のモ−ター保護装置は、圧縮機への取り付け作業性が容易で、且つ安価な圧縮機のモーター保護装置を提供できるという効果が得られる。
【発明を実施するための最良の形態】
【００１４】
本発明の請求項１に記載の発明は、圧縮機との接触面近傍に永久磁石を配設したもので、磁力によって圧縮機に吸着固定することでスプリングクリップ部品が不要となるので、安価にすることができ、またスプリングクリップをブラケットへ挿入する煩雑な作業をすることなくワンタッチで圧縮機にモーター保護装置を吸着固定できるので、圧縮機への取り付け作業性が容易な圧縮機のモーター保護装置を提供できるという効果が得られる。
【００１５】
本発明の請求項２に記載の発明は、請求項１の発明のモーター保護装置の動作方式を、圧縮機の温度を感知して動作する熱感応型としたもので、永久磁石の吸着により圧縮機の接触面での密着性が向上することで確実に圧縮機の温度を検知できるので、更に動作の信頼性が高い圧縮機のモーター保護装置を得ることができる。
【００１６】
本発明の請求項３に記載の発明は、請求項１の発明に、環状の永久磁石を保護装置本体部外周に嵌装させたもので、モーター保護装置への磁石組立作業性が容易となるので、更に生産性を向上させることができる。
【００１７】
本発明の請求項４に記載の発明は、請求項３の発明の永久磁石を、可撓性を有したボンド磁石とするもので、圧縮機の接触面が曲面である場合でも良好な密着性を発揮するので、より確実に圧縮機の温度を検知でき、更に動作の信頼性の高い圧縮機のモーター保護装置を得ることができる。
【００１８】
本発明の請求項５に記載の発明は、請求項１の発明に、永久磁石を保護装置本体部外側に設けた収納部に嵌入したもので、汎用されている磁石を使用することができるので、更に安価な圧縮機のモーター保護装置を提供できるという効果が得られる。
【００１９】
以下、本発明による圧縮機のモーター保護装置の実施の形態について、図面を参照しながら説明する。
【００２０】
（実施の形態１）
図１は、本発明の実施の形態１における圧縮機の側面図、図２はモーター保護装置の斜視図である。
【００２１】
以下、図１及び図２に基づいて、本発明の実施の形態について説明する。
【００２２】
図１及び図２において、圧縮機本体を形成する密閉容器１０１には、電動要素（図示せず）と、この電動要素より駆動される圧縮要素（図示せず）とが、複数のスプリング（図示せず）によって弾性的に保持されている。
【００２３】
鉄板をプレス成形することで形成された密閉容器１０１には、密閉容器１０１内外を電気的に連絡するハーメチックターミナル１０３を備えるとともに、電装品カバー（図示せず）を固定するためのブラケット１０５をハーメチックターミナル１０３の近傍に溶接固定している。
【００２４】
圧縮機のモーター保護装置１０７は、内部に密閉容器１０１の温度や電流を感知して動作するよう、ヒーター（図示せず）とバイメタル（図示せず）を内蔵した略円筒形の本体部１０９を備える。
【００２５】
本体部１０９の密閉容器１０１との接触面１１１近傍には、可撓性を有し、一体に形成された環状の永久磁石１１３が嵌装されている。
【００２６】
永久磁石１１３は接触面１１１と同一面かわずかに張り出している。
【００２７】
環状の永久磁石１１３は柔軟性を備えた樹脂材料に磁性体の粉末を混入したボンド磁石から形成されている。
【００２８】
永久磁石１１３の内径寸法は本体部１０９の外径寸法よりわずかに小さく、永久磁石１１３は本体部１０９に軽圧入されることで固定されている。
【００２９】
以上のように構成された圧縮機とモーター保護装置について、以下にその取り付け動作を説明する。
【００３０】
所定の配線をモーター保護装置１０７に施した後、密閉容器１０１の所定の位置に、永久磁石１１３が嵌装されたモーター保護装置１０７の接触面１１１近傍を接触させることで、永久磁石１１３は磁力によって密閉容器１０１に吸着する。
【００３１】
それに伴い、モーター保護装置１０７も密閉容器１０１に密着し、吸着固定される。
【００３２】
これによってモーター保護装置１０７はワンタッチで密閉容器１０１への取り付けが可能となるため、極めて取り付け作業性が容易となる。
【００３３】
ここで永久磁石１１３の形状は環状であり、一体成形できるような単純な形状であるため、複雑な金型を必要とせず、安価である上、モーター保護装置１０７への嵌装も容易に行うことができ、組立作業性も容易である。
【００３４】
また永久磁石１１３に柔軟性の有るボンド磁石を採用したことで、密閉容器１０１との密着性が向上するため、本体部１０９の中のバイメタル（図示せず）は密閉容器１０１の熱影響を確実に受けることができるので、モーター保護装置１０７は安定した保護特性を発揮することができる。
【００３５】
特に空冷ファンによる風が密閉容器１０１に当たる強制空冷タイプの圧縮機において、密閉容器１０１とモーター保護装置１０７との間に風が入らないので、より熱影響を受けやすくし、より安定した圧縮機のモーター保護装置１０７を得ることができる。
【００３６】
また、永久磁石１１３の吸着力を１ｋｇｆ以上確保することで、圧縮機の輸送や運転中の振動によるモーター保護装置１０７の位置ずれ及び外れといった問題が起こることなく密閉容器１０１への取り付け初期位置に吸着固定され続けることができることを確認した。
【００３７】
尚、本実施の形態においては永久磁石１１３にボンド磁石を用いたが、固体磁石を用いた場合も一定の効果が得られることは言うまでもない。
【００３８】
以上のように、本実施の形態によれば、圧縮機への取り付け作業性が容易で、安価な圧縮機のモーター保護装置を提供できるという効果が得られる。
【００３９】
（実施の形態２）
図３は、本発明の実施の形態２における圧縮機の側面図、図４はモーター保護装置の斜視図である。
【００４０】
以下、図３及び図４に基づいて、本発明の実施の形態について説明する。
【００４１】
図３及び図４において、圧縮機本体を形成する密閉容器２０１には、電動要素（図示せず）と、この電動要素より駆動される圧縮要素（図示せず）とが、複数のスプリング（図示せず）によって弾性的に保持されている。
【００４２】
鉄板をプレス成形することで形成された密閉容器２０１には、密閉容器２０１内外を電気的に連絡するハーメチックターミナル２０３を備えるとともに、電装品カバー（図示せず）を固定するためのブラケット２０５をハーメチックターミナル２０３の近傍に溶接固定している。
【００４３】
圧縮機のモーター保護装置２０７は、内部に密閉容器２０１の温度や電流を感知して動作するよう、ヒーター（図示せず）とバイメタル（図示せず）を内蔵した略円筒形の本体部２０９を備える。
【００４４】
本体部２０９の外側には、熱可塑性の樹脂材で本体部２０９と一体に形成された収納部２１５が複数設けられており、各々の収納部２１５には、円柱状の永久磁石２１３が嵌入されている。
【００４５】
永久磁石２１３の外径寸法は収納部２１５の内径寸法よりわずかに大きく、永久磁石２１３は収納部２１５に軽圧入されることで固定されている。
【００４６】
収納部２１５へ軽圧入される円柱状の永久磁石２１３は、剛性を備えた固体磁石から形成されている。
【００４７】
以上のように構成された圧縮機とモーター保護装置について、以下にその取り付け動作を説明する。
【００４８】
所定の配線をモーター保護装置２０７に施した後、密閉容器２０１の所定の位置にモーター保護装置２０７の接触面２１１近傍を接触させることで、永久磁石２１３の磁力によってモーター保護装置２０７は密閉容器２０１に密着し、吸着固定される。
【００４９】
これによってモーター保護装置２０７はワンタッチで密閉容器２０１への取り付けが可能となるため、極めて取り付け作業性が容易となる。
【００５０】
また、永久磁石２１３の磁力により密閉容器２０１に吸着するモーター保護装置２０７の吸着力を１ｋｇｆ以上確保することで、圧縮機の輸送や運転中の振動によるモーター保護装置２０７の位置ずれ及び外れといった問題が起こることなく密閉容器２０１への取り付け初期位置に吸着固定され続けることができることを確認した。
【００５１】
永久磁石２１３の吸着によってモーター保護装置２０７を密閉容器２０１に密着させたことで、密閉容器２０１との密着性が向上するため、本体部２０９の中のバイメタル（図示せず）は密閉容器２０１の熱影響を確実に受けることができるので、モーター保護装置２０７は安定した保護特性を発揮することができる。
【００５２】
特に空冷ファンによる風が密閉容器２０１に当たる強制空冷タイプの圧縮機において、密閉容器２０１とモーター保護装置２０７との間に風が入らないので、より熱影響を受けやすくし、より安定した圧縮機のモーター保護装置２０７を得ることができる。
【００５３】
尚、本実施の形態において永久磁石２１３の形状は容易に圧入が行われるように円柱状を用いたが、収納部２１５の形状は永久磁石２１３の形状に合わせて自由に決められるため、容易に入手可能な汎用磁石を使用することができ、さらに安価にすることができる。
【００５４】
また永久磁石２１３は固体磁石を用いたが、ボンド磁石を用いた場合も一定の効果が得られることは言うまでもない。
【００５５】
以上のように、本実施の形態によれば、圧縮機への取り付け作業性が容易で、安価な圧縮機のモーター保護装置を提供できるという効果が得られる。
【産業上の利用可能性】
【００５６】
本発明にかかる圧縮機のモーター保護装置は、圧縮機への取り付け作業性が容易で、且つ安価に構成でき、冷蔵庫以外にも自販機や空調機器の用途にも適用できる。
【図面の簡単な説明】
【００５７】
【図１】本発明の実施の形態１による圧縮機の側面図
【図２】本発明の実施の形態１によるモーター保護装置の斜視図
【図３】本発明の実施の形態２による圧縮機の側面図
【図４】本発明の実施の形態２によるモーター保護装置の斜視図
【図５】従来の圧縮機の側面図
【図６】図５のＨ−Ｈ矢視図
【図７】従来のモーター保護装置の拡大図
【図８】従来のスプリングクリップの側面図
【図９】従来のスプリングクリップの拡大側面図
【符号の説明】
【００５８】
１０１，２０１    密閉容器
１０３，２０３    ハーメチックターミナル
１０５，２０５    ブラケット
１０７，２０７    モーター保護装置
１０９，２０９    本体部
１１１，２１１    接触面
１１３，２１３    永久磁石
２１５    収納部
【図１】
2006161708.tif 000003
【図２】
2006161708.tif 000004
【図３】
2006161708.tif 000005
【図４】
2006161708.tif 000006
【図５】
2006161708.tif 000007
【図６】
2006161708.tif 000008
【図７】
2006161708.tif 000009
【図８】
2006161708.tif 000010
【図９】
2006161708.tif 000011